【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
導電性流体の存在下での使用のための使い捨て双極ＲＦプローブであって、前記使い捨て双極ＲＦプローブは、
内側導電性スリーブおよび外側導電性スリーブを含むシャフトと、
中心通路を有するハブと
を備え、
前記内側および外側導電性スリーブの対向極性領域が、前記中心通路において露出されており、前記対向極性領域は、間隔をそれらの間に有し、前記間隔は、使用中、伝導性流体の存在下、前記伝導性流体の侵入を阻止し、前記対向極性領域間の電流流動を制限する、使い捨て双極ＲＦプローブ。
【請求項２】
前記内側および外側導電性スリーブは、ＲＦ電流流動を前記プローブの作業端におけるそれぞれの第１および第２の対向極性電極に結合するように構成されている、請求項１に記載の使い捨て双極ＲＦプローブ。
【請求項３】
前記伝導性流体の侵入は、前記作業端へのＲＦ電流流動が妨害されないように十分に制限されている、請求項２に記載の使い捨て双極ＲＦプローブ。
【請求項４】
前記内側導電性スリーブの少なくとも一部が、前記外側導電性スリーブのボア内に回転可能に配置されている、請求項１に記載の使い捨て双極ＲＦプローブ。
【請求項５】
前記対向極性領域は、使用中の前記対向極性領域間のＲＦ電流流動を妨害するように選択された距離だけ縦方向に間隔を置かれている、請求項１に記載の使い捨て双極ＲＦプローブ。
【請求項６】
前記選択された距離は、少なくとも０．５インチ、少なくとも０．６インチ、少なくとも０．８インチ、または少なくとも１インチである、請求項５に記載の使い捨て双極ＲＦプローブ。
【請求項７】
前記内側および外側スリーブは、０．０１０インチ未満、０．００４インチ未満、または０．００２インチ未満の環状空間によって分離され、前記対向極性領域間の流体侵入を最小化し、電気抵抗を最大化する、請求項１に記載の使い捨て双極ＲＦプローブ。
【請求項８】
前記近位ハブは、ＲＦ電流を前記ハブを通して前記第１および第２の伝導性スリーブに結合するための第１および第２の電気接点を有するハンドルに取り外し可能に結合するために適合されている、請求項１に記載の使い捨て双極ＲＦプローブ。
【請求項９】
システムであって、前記システムは、
請求項１に記載の使い捨て双極ＲＦプローブと、
ハンドルと
を備え、
前記ハンドルは、前記使い捨て双極ＲＦプローブが前記ハブに結合されているときに前記第２の伝導性スリーブを回転させるためのモータ駆動ユニットを含む、システム。
【手続補正２】
【補正対象書類名】明細書
【補正対象項目名】００２１
【補正方法】変更
【補正の内容】
【００２１】
他の実施形態では、ハンドルは、非取り外し可能アンビリカル導管とともにモータ駆動ユニットを有し、該アンビリカル導管は、複数の電気ケーブルを運ぶ。通常、少なくとも１つの電気ケーブルが、モータ駆動ユニットを駆動するために接続され、少なくとも１つのケーブルは、通路内の第１の極性電気接点に接続され、少なくとも１つのケーブルは、通路内の第２の極性電気接点に接続される。アンビリカル導管は、信号伝達および制御機能のための１つ以上の電気ケーブルをさらに運び得、プローブの近位ハブ上の第１の極性電気接点および第２の極性電気接点は、ハブの外側表面上のばね負荷要素を備え得る。
本願明細書は、例えば、以下の項目も提供する。
（項目１）
導電性流体の存在下での使用のための使い捨て双極ＲＦプローブであって、前記使い捨て双極ＲＦプローブは、
内側導電性スリーブおよび外側導電性スリーブを含むシャフトと、
中心通路を有するハブと
を備え、
前記内側および外側導電性スリーブの対向極性領域が、前記中心通路において露出されており、前記対向極性領域は、間隔をそれらの間に有し、前記間隔は、使用中、伝導性流体の存在下、前記伝導性流体の侵入を阻止し、前記対向極性領域間の電流流動を制限する、使い捨て双極ＲＦプローブ。
（項目２）
前記内側および外側導電性スリーブは、ＲＦ電流流動を前記プローブの作業端におけるそれぞれの第１および第２の対向極性電極に結合するように構成されている、項目１に記載の使い捨て双極ＲＦプローブ。
（項目３）
前記伝導性流体の侵入は、前記作業端へのＲＦ電流流動が妨害されないように十分に制限されている、項目２に記載の使い捨て双極ＲＦプローブ。
（項目４）
前記内側導電性スリーブの少なくとも一部が、前記外側導電性スリーブのボア内に回転可能に配置されている、項目１に記載の使い捨て双極ＲＦプローブ。
（項目５）
前記対向極性領域は、使用中の前記対向極性領域間のＲＦ電流流動を妨害するように選択された距離だけ縦方向に間隔を置かれている、項目１に記載の使い捨て双極ＲＦプローブ。
（項目６）
前記選択された距離は、少なくとも０．５インチ、少なくとも０．６インチ、少なくとも０．８インチ、または少なくとも１インチである、項目５に記載の使い捨て双極ＲＦプローブ。
（項目７）
前記内側および外側スリーブは、０．０１０インチ未満、０．００４インチ未満、または０．００２インチ未満の環状空間によって分離され、前記対向極性領域間の流体侵入を最小化し、電気抵抗を最大化する、項目１に記載の使い捨て双極ＲＦプローブ。
（項目８）
前記近位ハブは、ＲＦ電流を前記ハブを通して前記第１および第２の伝導性スリーブに結合するための第１および第２の電気接点を有するハンドルに取り外し可能に結合するために適合されている、項目１に記載の使い捨て双極ＲＦプローブ。
（項目９）
システムであって、前記システムは、
項目１に記載の使い捨て双極ＲＦプローブと、
ハンドルと
を備え、
前記ハンドルは、前記使い捨て双極ＲＦプローブが前記ハブに結合されているときに前記第２の伝導性スリーブを回転させるためのモータ駆動ユニットを含む、システム。
（項目１０）
外科手術用システムであって、前記外科手術用システムは、
モータ駆動ユニットを有するハンドルと、
前記ハンドルに取り外し可能に結合している近位ハブを有する使い捨てＲＦプローブであって、前記ＲＦプローブは、ＲＦエフェクタと前記モータ駆動ユニットによって駆動される構成要素とを有する、ＲＦプローブと、
前記モータ駆動ユニットに結合され、モータ動作パラメータを表す信号を提供する少なくとも１つのホールセンサと、
アンビリカル導管によって、前記モータおよび前記ＲＦプローブに動作可能に結合されているコントローラであって、前記アンビリカル導管は、（ｉ）電力を前記モータに送達するための電気ケーブルと、（ｉｉ）ＲＦ電力を前記ＲＦエフェクタに送達するためのＲＦケーブルと、（ｉｉｉ）信号をホール信号から前記コントローラに送達するための信号ケーブルを含む少なくとも１つの信号回路とを含む、コントローラと、
前記少なくとも１つの信号回路における雑音誘導を低減させるために前記少なくとも１つの信号回路に動作可能に結合されている少なくとも１つのＳｃｈｍｉｔｔトリガと
を備えている、外科手術用システム。
（項目１１）
前記モータ駆動ユニットによって支持されている複数のホールセンサであって、各ホールセンサは、前記アンビリカル導管内の信号ケーブルによって前記コントローラに接続されている信号回路を備えている、ホールセンサと、
各信号回路のハンドル端における第１のＳｃｈｍｉｔｔトリガおよび各信号回路のコントローラ端における第２のＳｃｈｍｉｔｔトリガと
を備えている、項目１０に記載の外科手術用システム。
（項目１２）
前記モータ駆動ユニットによって支持されている３つのホールセンサであって、前記３つのホールセンサの各々は、前記アンビリカル導管内の信号ケーブルによって前記コントローラに接続されている信号回路を備えている、３つのホールセンサと、
前記３つの信号回路の各々のハンドル端におけるＳｃｈｍｉｔｔトリガおよび前記３つの信号回路の各々のコントローラ端におけるＳｃｈｍｉｔｔトリガと
を備えている、項目１１に記載の外科手術用システム。
（項目１３）
外科手術用システムであって、前記外科手術用システムは、
モータ駆動ユニットを有するハンドルであって、前記モータ駆動ユニットは、その中にホールセンサを含む、ハンドルと、
前記ハンドルに取り外し可能に結合している近位ハブを有する使い捨てＲＦプローブであって、前記ＲＦプローブは、ＲＦエフェクタと前記モータ駆動ユニットによって駆動される構成要素とを有する、ＲＦプローブと、
前記ハンドルから制御コンソールまで延びている単一アンビリカル導管と
を備え、
前記単一アンビリカル導管は、（ｉ）電力を前記モータに送達するための電気ケーブルと、（ｉｉ）ＲＦ電力を前記ＲＦエフェクタに送達するためのＲＦケーブルと、（ｉｉｉ）ホールセンサ信号を運ぶための複数の信号ケーブルとを含む、外科手術用システム。
（項目１４）
第１のＳｃｈｍｉｔｔトリガをさらに備え、前記第１のＳｃｈｍｉｔｔトリガは、各信号ケーブルのハンドル端において各信号ケーブルに結合されている、項目１３に記載の外科手術用システム。
（項目１５）
第２のＳｃｈｍｉｔｔトリガをさらに備え、前記第２のＳｃｈｍｉｔｔトリガは、各信号ケーブルのコンソール端において各信号ケーブルに結合されている、項目１４に記載の外科手術用システム。
（項目１６）
関節鏡下治療システムを動作させる方法であって、前記方法は、
モータ駆動ユニットを有するハンドルに取り外し可能に結合されている使い捨てＲＦ治療デバイスを提供することであって、前記ハンドルは、単一導管を通して制御コンソールに結合されている、ことと、
前記単一導管内の第１および第２のそれぞれの電気ケーブルを通して、電力を前記モータおよび前記ＲＦデバイスに送達することと、
前記モータ駆動ユニットにおけるホールセンサを使用して、モータ動作パラメータ信号を前記単一導管内の電気ケーブルを含む信号回路における制御コンソールに送信することと、
前記信号回路における少なくとも１つのＳｃｈｍｉｔｔトリガを使用して、前記第１および第２の電気ケーブルの近接に起因する前記信号回路における雑音誘導を低減させることと
を含む、方法。
（項目１７）
関節鏡下システムであって、前記関節鏡下システムは、
遠位双極要素および近位ハブを有するプローブであって、前記近位ハブは、第１の極性電気接点および第２の極性電気接点を有する、プローブと、
前記プローブの近位ハブを除去可能に受け取るように構成されている遠位円筒形通路を有するハンドルと
を備え、
前記ハブは、第１の極性電気接点および第２の極性電気接点を有し、前記ハブ上の前記第１の極性電気接点および前記第２の極性電気接点は、前記通路内の前記第１の極性電気接点および前記第２の極性電気接点に係合することになり、
前記ハンドルの前記遠位通路内の前記第１および第２の電気接点は、交流電流腐食に抵抗する伝導性材料を備えている、関節鏡下システム。
（項目１８）
前記ハンドルの前記遠位通路内の前記第１および第２の電気接点は、チタン、金、銀、白金、炭素、モリブデン、タングステン、亜鉛、Ｉｎｃｏｎｅｌ、黒鉛、ニッケルまたはそれらの組み合わせから成る群から選択される材料を備えているか、またはそれでめっきされている、項目１７に記載の関節鏡下システム。
（項目１９）
前記ハンドルの前記遠位通路内の前記第１および第２の電気接点は、軸方向に間隔を置かれ、前記遠位通路の内側表面上に露出されている、項目１７に記載の関節鏡下システム。
（項目２０）
前記第１および第２の電気接点は、前記円筒形通路の内側表面の周囲で円周方向に延びているリング状接点を備えている、項目１９に記載の関節鏡下システム。
（項目２１）
前記リング状第１および第２の電気接点は、前記円筒形通路の内側表面の周囲で３６０°延びている、項目２０に記載の関節鏡下システム。
（項目２２）
流体シールを前記ハブと前記円筒形通路との間にさらに備えている、項目２１に記載の関節鏡下システム。
（項目２３）
前記流体シールは、前記円筒形通路の内側表面上に配置されている少なくとも１つのＯリングを備えている、項目２２に記載の関節鏡下システム。
（項目２４）
前記流体シールは、前記プローブの前記近位ハブ上に配置されている少なくとも１つのＯリングをさらに備えている、項目２３に記載の関節鏡下システム。
（項目２５）
前記Ｏリングのうちの少なくとも１つは、前記軸方向に間隔を置かれている電気接点間に配置されている、項目２４に記載の関節鏡下システム。
（項目２６）
少なくとも１つのＯリングは、前記電気接点の全ての近位に配置され、前記Ｏリングのうちの少なくとも１つは、前記電気接点の全ての遠位に配置されている、項目２４に記載の関節鏡下システム。
（項目２７）
前記ハンドルは、非取り外し可能アンビリカル導管とともにモータ駆動ユニットを有し、前記アンビリカル導管は、複数の電気ケーブルを運び、少なくとも１つの電気ケーブルは、前記モータ駆動ユニットを駆動するために接続され、少なくとも１つのケーブルは、前記通路内の前記第１の極性電気接点に接続され、少なくとも１つのケーブルは、前記通路内の前記第２の極性電気接点に接続されている、項目１７に記載の関節鏡下システム。
（項目２８）
前記アンビリカル導管は、信号伝達および制御機能のための１つ以上の電気ケーブルをさらに運ぶ、項目２７に記載の電気外科手術用デバイス。
（項目２９）
前記プローブの前記近位ハブ上の前記第１の極性電気接点および前記第２の極性電気接点は、前記ハブの外側表面上のばね負荷要素を備えている、項目１７に記載の電気外科手術用デバイス。